(57)【特許請求の範囲】
【請求項１】
ディスプレイパネルのためのデータドライバにおけるデータ信号分散変換のための装置であって、
第１のデジタルデータ信号を含む３つのデジタルデータ信号が与えられ、この３つのデジタルデータ信号のうちの一つを選択して、第１分散データ信号として出力する第１分散マルチプレクサと、
第２のデジタルデータ信号および前記第１のデジタルデータ信号を含む３つのデジタルデータ信号が与えられ、この３つのデジタルデータ信号のうちの一つを選択して、第２分散データ信号として出力する第２分散マルチプレクサと、
前記第１分散マルチプレクサに接続され、この第１分散マルチプレクサが出力する前記第１分散データ信号に対してデジタル／アナログ変換を行い、第１アナログデータ信号を生成する第１デジタル／アナログ変換回路と、
前記第２分散マルチプレクサに接続され、この第２分散マルチプレクサが出力する前記第２分散データ信号に対してデジタル／アナログ変換を行い、第２アナログデータ信号を生成する第２デジタル／アナログ変換回路と、
前記第１デジタル／アナログ変換回路に接続され、３つの出力端子を備え、前記第１アナログデータ信号を、前記出力端子のうちの一つに選択的に出力する第１デマルチプレクサと、
前記第２デジタル／アナログ変換回路に接続され、３つの出力端子を備え、前記第２アナログデータ信号を、前記出力端子のうちの一つに選択的に出力する第２デマルチプレクサとを含み、
前記第１および第２アナログデータ信号は、前記ディスプレイパネルの２本のデータラインを駆動するためにそれぞれ用いられ、前記第１のデジタルデータ信号は、当該第１のデジタルデータ信号が前記第１および第２アナログデータ信号に選択的に対応するように、前記第１および第２分散マルチプレクサのうちの一つから選択的に出力されるようになっている、
データ信号分散変換装置。
【請求項２】
ｐ個のデジタルデータ信号を受信して、前記ｐ個のデジタルデータ信号のｑ番目のデジタルデータ信号（ただし、ｐ、ｑは正の整数であり、ｑはｐ以下である）を、重み付け曲線に従って選択し、分散法により出力する分散マルチプレクサと、
前記分散マルチプレクサに接続されており、前記ｑ番目のデジタルデータ信号のデジタル／アナログ変換を行ってアナログデータ信号を出力するデジタル／アナログ変換装置と、
ｐ個の出力端子を有する分散デマルチプレクサであって、前記デジタル／アナログ変換装置に接続されており、前記分散法により前記ｐ個の出力端子のｑ番目の出力端子を介して前記アナログデータ信号を出力する分散デマルチプレクサとを備えたデータ信号分散変換装置。
【請求項３】
ｐが２以上である請求項２記載のデータ信号分散変換装置。
【請求項４】
前記デジタル／アナログ変換装置が信号の極性反転を実行可能な請求項２または３記載のデータ信号分散変換装置。
【請求項５】
請求項１ないし４のいずれかに記載のデータ信号分散変換装置を含む表示装置。
【請求項６】
複数のピクセルユニットを備えたディスプレイパネルであって、前記ピクセルユニットがｍ×ｎ配列（ただし、ｍとｎは１を越える正の整数）を構成するように配列されているディスプレイパネルと、
前記ディスプレイパネルに接続されており、デジタル画像データに応じてｍ個のアナログデータ信号を出力するデータドライバとを備えた信号分散変換方式の表示装置であって、
データドライバが、
前記デジタル画像データを受信して、ｍ個のデジタルデータ信号を出力するフロントエンドプロセッサ素子と、
前記フロントエンドプロセッサ素子と接続されており、前記デジタルデータ信号を受信して、前記ｍ個のアナログデータ信号を出力する請求項１ないし４のいずれかに記載のデータ信号分散変換装置とを備えている、表示装置。
【請求項７】
第１デジタルデータおよび第２デジタルデータが与えられ、前記第１デジタルデータまたは前記第２デジタルデータを入力データとして出力する第１マルチプレクサと、
２つの出力端子を有し、前記入力データを受け付け、この入力データを前記２つの出力端子の一つに選択的に出力するデマルチプレクサと、
前記デマルチプレクサの前記２つの出力端子の一方に結合された第１デジタル／アナログ変換回路と、
前記デマルチプレクサの前記２つの出力端子の他方に結合された第２デジタル／アナログ変換回路と、
前記第１および第２デジタル／アナログ変換回路の出力にそれぞれ接続された２つの入力端子を有し、この２つの入力端子のうちの一つに入力された信号を選択的に出力する第２マルチプレクサとを含む、表示装置用データドライバの変換装置。
【請求項８】
ディスプレイに使用するための信号分散方式の画像表示方法であって、前記ディスプレイが複数のピクセルユニットを備え、前記ピクセルユニットがｍ×ｎ配列を構成するように配列されており、前記方法は、
ｐ個のデジタルデータ信号を与えるステップと、
重み付け曲線に従い、分散法によって、前記ｐ個のデジタルデータ信号からｑ番目のデジタルデータ信号を選択するステップと、
前記ｑ番目のデジタルデータ信号に応じて、アナログデータ信号を生成するステップと、
画像表示のために、分散法に従ってｒ番目の行、ｑ番目の列のピクセルユニットに前記アナログデータ信号を供給するステップ（ただし、ｍ、ｎ、ｐ、ｑ、ｒは正の整数であり、ｑはｐ以下であり、ｒはｍ以下である）とを含む方法。
【請求項９】
前記分散法が、時間分散である請求項８記載の方法。
【請求項１０】
前記分散法が、空間分散である請求項８記載の方法。
【請求項１１】
前記分散法が、時間／空間分散である請求項８記載の方法。
【発明の詳細な説明】
【０００１】
【発明の属する技術分野】
本出願には、２００１年４月１７日出願の台湾国出願番号９０１０９２１９が参照により組み込まれている。
本発明は、一般的に、データ信号変換のための装置および方法に関し、特に、データ信号分散変換のための装置および方法に関する。
【０００２】
【関連技術の説明】
人間と機械のコミュニケーション手段として、表示装置が使用されている。市場では、２つの種類の表示装置、すなわち、陰極線管（ＣＲＴ）ディスプレイと液晶ディスプレイ（ＬＣＤ）が入手可能である。ＣＲＴディスプレイについては、その技術や生産が十分開発されているので、高品質カラー画像を提供するものでも比較的低価格であり、幅広く使用されている。しかし、ＣＲＴディスプレイは、サイズが大きく、高レベルの電磁波を発生する。一方、ＬＣＤは、よりコンパクトで、電磁波の発生が低い。したがって、薄膜トランジスタ液晶ディスプレイ（ＴＦＴ−ＬＣＤ）などのＬＣＤは、ＣＲＴディスプレイに取って代わりつつある。
【０００３】
図１のブロック図を参照して、ＴＦＴ−ＬＣＤ１００は、ディスプレイパネル１１０と、データドライバ１２０と、走査ドライバ１３０とを備えている。ディスプレイパネル１１０は、ｍ×ｎ配列を形成するように構成された複数のピクセルユニットＰを備えており、各ピクセルユニットＰは、薄膜トランジスタと、液晶素子（図示せず）とを備えている。各列のピクセルユニットに関して、薄膜トランジスタのソース電極が電気的に接続され、ディスプレイパネル１１０内に導出されるｍ本のデータライン１２２を構成している。同様に、各行のピクセルユニットに関して、薄膜トランジスタのゲート電極が電気的に接続され、ディスプレイパネル１１０内に導出されるｎ本の走査ライン１３２を構成している。データドライバ１２０は、フロントエンドプロセッサ１２６と、データ信号変換装置１２８とを備えており、デジタル画像データＤを受信してアナログ信号Ａを出力するために使用される。フロントエンドプロセッサ１２６は、デジタル画像データＤを受信し、デジタルデータ信号Ｄ'を出力するために使用される。データ信号変換装置１２８は、フロントエンドプロセッサ１２６およびディスプレイパネル１１０に接続され、デジタルデータ信号Ｄ'を受信してデジタルデータ信号Ｄ'のデジタル／アナログ（Ｄ／Ａ）変換を行ってアナログデータ信号Ａを生成し、ディスプレイパネル１１０に出力するために使用される。走査ドライバ１３０は、走査ライン１３２に接続され、水平同期（ＨＳＹＮＣ）信号および垂直同期（ＶＳＹＮＣ）信号を受信するためのものである。
【０００４】
ＶＳＹＮＣ信号に応じて、走査ドライバ１３０は、各走査ライン１３２（走査ライン１３２（ｋ）、ｋ＝１〜ｎ）を順次選択し、選択された走査ラインの薄膜トランジスタの全てをオンする。走査ライン１３２（ｋ）の全ての薄膜トランジスタをオンすると、液晶素子の中間調の制御のために、走査ライン１３２（ｋ）の薄膜トランジスタのソース電極およびドレイン電極を介して、データドライバ１２０からのアナログデータ信号Ａを走査ライン１３２（ｋ）の液晶素子に与える。この様にして、データドライバ１２０は、アナログデータ信号Ａに応じて液晶素子の中間調レベルを制御する。走査ドライバ１３０は、ＶＳＹＮＣ信号を受信すると、最初（ｋ＝１）から最後（ｋ＝ｎ）まで走査ライン１３２を一度に連続してオンを再開する。一般的に、２つの連続するＨＳＹＮＣ信号間の時間隔を水平走査時間として示し、２つの連続するＶＳＹＮＣ信号間の時間隔を垂直走査時間として示す。フレームを表示するために、フレームの一水平ラインを完結するのに一水平走査時間かかり、全フレームを完結するのに一垂直走査時間かかる。
【０００５】
実際、同じ極性の電圧が連続的に液晶素子に印加されると、液晶素子は容易に損傷を受ける。したがって、液晶素子の損傷を回避するために、データドライバ１２０は、極性反転を適用してもよい。ドット反転や列反転などの極性反転は、正電圧と負電圧を交互に液晶素子に出力することである。
図２は、図１に示すデータ信号変換装置１２８の詳細を示す。データ信号変換装置１２８は、デジタル／アナログ（Ｄ／Ａ）変換装置を備えている。Ｄ／Ａ変換装置は、デジタルデータ信号Ｄ'を受信し、デジタルデータ信号Ｄ'の極性反転を行い、アナログデータ信号Ａを出力するためのものである。Ｄ／Ａ変換装置は、ｍ個のデマルチプレクサ２０２と、ｍ個のマルチプレクサ２０４と、ｍ＋１個のデジタル／アナログ変換素子２０６と、ｍ＋１個の出力バッファ２１０とを備えている。例えば、デマルチプレクサ２０２（ｉ）は、デジタルデータ信号Ｄ'（ｉ）を受信し、デジタルデータ信号Ｄ'（ｉ）を極性反転法に従ってＤ／Ａ変換素子２０６（ｉ）または２０６（ｉ＋１）に出力するために使用される。ｉが奇数である場合、Ｄ／Ａ変換素子２０６（ｉ）は、正の極性を有する変換データ信号Ｓ（ｉ）を出力する。ｉが偶数である場合、Ｄ／Ａ変換素子２０６（ｉ）は、負の極性を有する変換データ信号Ｓ（ｉ）を出力する。出力バッファ２１０（ｉ）は、変換データ信号Ｓ（ｉ）を受信し、バッファデータ信号Ｓ'（ｉ）を出力し、バッファデータ信号Ｓ'（ｉ）をマルチプレクサ２０４（ｉ−１）、２０４（ｉ）に供給するために使用される。マルチプレクサ２０４（ｉ）は、バッファデータ信号Ｓ'（ｉ）、Ｓ'（ｉ＋１）をそれぞれ出力バッファ２１０（ｉ）、２１０（ｉ＋１）から受信して、デマルチプレクサ２０２（ｉ）に応じてデジタルデータ信号Ａ（ｉ）を選択的に出力するために使用される（ただし、Ａ（ｉ）は、Ｓ'（ｉ）またはＳ'（ｉ＋１）である）。例えば、デマルチプレクサ２０２（ｉ）は、デジタルデータ信号Ｄ'（ｉ）をＤ／Ａ変換素子２０６（ｉ＋１）に出力し、マルチプレクサ２０４（ｉ）は、Ｓ'（ｉ＋１）をアナログデータ信号Ａ（ｉ）として出力する。この様に、デマルチプレクサ２０２およびマルチプレクサ２０４を用いることによって、個々のアナログデータ信号Ａの極性を極性反転法に従って変更でき、極性反転後のアナログデータ信号Ａを適切なデータライン１２２に関連付ける。したがって、デマルチプレクサ２０２（ｉ）およびマルチプレクサ２０４（ｉ）がＨＳＹＮＣ信号に従ってアナログデータ信号Ａ（ｉ）の極性を変更する場合は、ドット反転が達成される。デマルチプレクサ２０２（ｉ）およびマルチプレクサ２０４（ｉ）がＶＳＹＮＣ信号に従ってアナログデータ信号Ａ（ｉ）の極性を変更する場合は、列反転の効果が達成される。
【０００６】
しかし、データドライバからのアナログデータ信号は、異なるオフセット電圧を有し、オフセット電圧は、ＬＣＤ上に表示される中間調ラインに対応し、各表示ピクセルの輝度の均一性に影響を与える。一般的に、データドライバは、出力バッファ２１０内の動作アンプの出力電圧レベルのバラツキによりオフセット電圧を発生する。動作アンプの出力電圧レベルのオフセットは、一般的に５０ｍＶ〜６０ｍＶの範囲であるが、ＬＣＤにより許容されるオフセット電圧は１０ｍＶ以内である。動作アンプの出力オフセットが極端に許容値を上回ると、ディスプレイパネル１１０の関連液晶素子は、望ましくない濃い色や薄い色のピクセルユニットとなる。
【０００７】
図３Ａは、ＴＦＴ−ＬＣＤ１００により表示されたフレーム３００を示し、各四角形はピクセルユニットを表し、出力バッファ２１０（ｊ）は出力オフセット電圧を有する。出力バッファ２１０（ｊ）は、アナログデータ信号Ａ（ｊ）をデータライン１２２（ｊ）に出力し、データライン１２２（ｊ）により制御されるピクセルユニットは、薄い中間調ラインを表示する。図３Ｂは、中間調強度ｖｓデータラインのグラフを示し、図３Ａに示すデータラインはＸ軸に沿って示され、人間に知覚される中間調強度はＹ軸に沿って測定される。データドライバ１２０は、列反転法により画像データを出力する。光刺激は、人間の視覚系で統合されるので、出力バッファ２１０（ｊ）に対応する中間調ラインは、図３Ａに示すように生成される。
【０００８】
図４Ａは、ＴＦＴ−ＬＣＤ１００により表示された別のフレーム４００を示し、各四角形は、１つのピクセルユニットを表し、データドライバ１２０は、ドット反転により画像データを出力する。そして、出力バッファ２１０（ｊ）が、出力オフセット電圧を有する。この様に、出力バッファ２１０（ｊ）が、アナログデータ信号Ａ（ｊ）をデータライン１２２（ｊ）に出力するか、あるいは、アナログデータ信号Ａ（ｊ−１）をデータライン１２２（ｊ−１）に出力すると、データライン１２２（ｊ）および１２２（ｊ−１）により制御されるピクセルユニットは、図４Ａに示す薄い中間調ポイントを表示する。上記の人間の視覚系の統合効果により、これらの薄い中間調ポイントは、実際には図４Ｂに示すようにＬＣＤパネル上に表示された薄い中間調ラインとして人間に知覚される。図４ＢのＸ軸は、図４Ａのデータラインを示し、Ｙ軸は、人間の目で知覚される中間調強度を示す。
【０００９】
出力信号レベルのバラツキによる表示輝度の均一性低下の問題を解決するための１つの方法としては、使用する動作アンプの出力精度を改善することである。しかし、この解決法は、ＬＣＤの設計および製造を非常に困難にする。
【００１０】
【発明の概要】
したがって、本発明の目的は、データ信号分散変換のための装置および方法を提供することにある。本発明によって、ディスプレイ上の輝度の均一性低下を効果的に回避することができる。
本発明の目的は、信号分散変換方式のディスプレイに使用するデータ信号分散変換装置によって満たされる。信号分散方式のディスプレイは、ディスプレイパネルと、データドライバとを備えている。ディスプレイパネルは、多数のピクセルユニットを備え、ピクセルユニットは、ｍ×ｎ配列を構成するように配列されている。各行のピクセルユニットが、電気的に接続されて走査ラインを構成し、各列のピクセルユニットが、電気的に接続されてデータラインを構成する。データドライバは、ディスプレイパネルに接続されており、デジタル画像データに応じてｍ個のアナログデータ信号をピクセルユニットに出力するために使用される。データドライバは、フロントエンドプロセッサ素子と、データ信号分散変換装置とを備えている。フロントエンドプロセッサ素子は、デジタル画像データを受信し、ｍ個のデジタルデータ信号を出力するために使用される。データ信号分散変換装置は、デジタルデータ信号を受信し、ｍ個のアナログデータ信号をピクセルユニットに出力するために使用される。データ信号分散変換装置は、分散マルチプレクサと、デジタル／アナログ変換装置と、分散デマルチプレクサとを備えている。分散マルチプレクサは、ｐ個のデジタルデータ信号を受信し、ｐ個のデジタルデータ信号のｑ番目のデジタルデータ信号（ただし、ｐ、ｑは正の整数であり、ｑはｐ以下である）を、重み付け曲線に従って選択し、分散法により出力するためのものである。デジタル／アナログ変換装置は、分散マルチプレクサに接続されており、ｑ番目のデジタルデータ信号のデジタル／アナログ変換を行い、アナログデータ信号を出力するために使用される。分散デマルチプレクサは、デジタル／アナログ変換装置に接続され、ｐ個の出力端子を有し、分散法によってｑ番目の出力端子を介してアナログデータ信号を出力するために使用される。
【００１１】
デジタル／アナログ変換装置の出力バッファは、個々の出力バッファの出力電圧レベルのバラツキのために異なる出力オフセット電圧を有するので、出力バッファに関連する薄い中間調ラインがディスプレイ上に生成される可能性がある。本発明によれば、Ｄ／Ａ変換装置の出力バッファとデータラインとの対応関係を変更する。この様に、個々のデータラインにおけるデジタル／アナログ変換装置の出力オフセット電圧の効果を多数のデータラインに分散して、異常に濃い色あるいは薄い色を有する望ましくないポイントをディスプレイ上で殆ど知覚不可能とする。
【００１２】
本発明の目的によると、ディスプレイに使用するための信号分散方式の画像表示方法を提供し、ディスプレイは、ｍ×ｎ配列を構成するように配列された複数のピクセルユニットを備えている。この方法は、以下のステップを含んでいる。まず、ｐ個のデジタルデータ信号を与える。そして、重み付け曲線に従い、分散法によって、ｐ個のデジタルデータ信号からｑ番目のデジタルデータ信号を選択する。ｑ番目のデジタルデータ信号に応じて、アナログデータ信号を生成する。最後に、画像形成のために、分散法に従ってｒ番目の行、ｑ番目の列のピクセルユニットにアナログデータ信号を供給する（ただし、ｍ、ｎ、ｐ、ｑ、ｒは正の整数であり、ｑはｐ以下であり、ｒはｍ以下である）。
【００１３】
本発明の他の目的、特徴、利点は、以下の限定的でない好適な実施形態の詳細な説明により明らかになるであろう。以下、添付の図面を参照しながら、本発明について説明する。
【００１４】
【発明の実施の形態】
図５を参照して、これは、本発明の好適な実施形態に係る信号分散変換方式の表示装置を示すブロック図を示す。信号分散変換方式表示装置５００は、ディスプレイパネル５１０と、データドライバ５２０と、走査ドライバ５３０とを備えている。ディスプレイパネル５１０は、ｍ×ｎ配列を形成するように構成された複数のピクセルユニットＰを備え、各ピクセルユニットＰは、薄膜トランジスタと、液晶素子とを備えている。各列のピクセルユニットに関して、薄膜トランジスタのソース電極は、電気的に接続されて、ディスプレイパネル５１０内に導出されるｍ本のデータライン５２２を構成する。同様に、各行のピクセルユニットに関して、薄膜トランジスタのゲート電極は、電気的に接続されて、ディスプレイパネル５１０内に導出されるｎ本の走査ライン５３２を構成する。データドライバ５２０は、フロントエンドプロセッサ５２６と、データ信号分散変換装置５２８とを備えており、デジタル画像データＤを受信し、アナログデータ信号Ａを出力するために使用される。フロントエンドプロセッサ５２６は、デジタル画像データＤを受信し、デジタルデータ信号Ｄ'を出力するために使用される。データ信号分散変換装置５２８は、フロントエンドプロセッサ５２６およびデータライン５２２に接続され、デジタルデータ信号Ｄ'を受信し、デジタルデータ信号Ｄ'のデジタル／アナログ（Ｄ／Ａ）変換を行ってアナログデータ信号Ａを生成し、データライン５２２に出力するために使用される。走査ドライバ５３０は、走査ライン５３２に接続され、水平同期（ＨＳＹＮＣ）信号と垂直同期（ＶＳＹＮＣ）信号とを受信するためのものである。
【００１５】
走査ドライバ５３０は、ＶＳＹＮＣ信号に従って走査ライン５３２の１つ、例えば、走査ライン５３２（ｋ）（ただし、ｋはｎ以下の正の整数）を順次選択して、その走査ラインの薄膜トランジスタの全てをオンする。走査ライン５３２（ｋ）の全ての薄膜トランジスタがオンされると、走査ライン５３２（ｋ）の薄膜トランジスタのソース電極とドレイン電極を介して、走査ライン５３２（ｋ）の液晶素子にデータドライバ５２０からのアナログデータ信号Ａを与えることができ、データドライバ５２０は、アナログデータ信号Ａに従って中間調で液晶素子を制御する。走査ドライバ５３０がＶＳＹＮＣ信号を受信すると、走査ドライバ５３０は、走査ライン５３２の１つを最初から連続してオンを再開する。
【００１６】
図６は、図５のデータ信号分散変換装置５２８のブロック図である。データ信号分散変換装置５２８は、デジタル／アナログ（Ｄ／Ａ）変換装置６００と、分散マルチプレクサ６４０と、分散デマルチプレクサ６４２とを備えている。この実施形態において、分散マルチプレクサ６４０は、３対１ラインマルチプレクサであり、すなわち、それぞれが３個の入力端子と１個の出力端子とを有する。さらに、分散デマルチプレクサ６４２は、１対３ラインデマルチプレクサであり、すなわち、それぞれが１個の入力端子と３個の出力端子とを有する。実際、本発明によれば、少なくとも２対１ラインマルチプレクサと１対２ラインデマルチプレクサが、それぞれ、分散マルチプレクサと分散デマルチプレクサとして機能する。分散マルチプレクサ６４０（ｉ）は、デジタルデータ信号Ｄ'（ｉ）、Ｄ'（ｉ＋１）、Ｄ'（ｉ＋２）を受信して、後述の分散法に従って、デジタルデータ信号Ｄ'（ｉ）、Ｄ'（ｉ＋１）、Ｄ'（ｉ＋２）のうちの１つを分散データ信号Ｄ"（ｉ）として選択するために使用される。デジタル／アナログ変換装置６００は、分散マルチプレクサ６４０に接続され、分散データ信号Ｄ"を受信して分散データ信号Ｄ"のデジタル／アナログ変換を行い、アナログデータ信号Ｔを出力するために使用される。デジタル／アナログ変換装置６００は、デジタル／アナログ変換素子６０６と、出力バッファ６１０とを備えており、アナログデータ信号Ｔを出力するために使用される。デジタル／アナログ変換素子６０６は、分散マルチプレクサ６４０に接続され、出力バッファ６１０は、デジタル／アナログ変換素子６０６に接続される。分散デマルチプレクサ６４２（ｉ）は、Ｄ／Ａ変換装置６００に接続され、アナログデータ信号Ｔ（ｉ）を受信して分散マルチプレクサ６４０に応じてデータライン５２２（ｉ）、５２２（ｉ＋１）、５２２（ｉ＋２）の１つにアナログデータ信号Ｔ（ｉ）を出力するために使用される。例えば、分散マルチプレクサ６４０からの分散データ信号Ｄ"（ｉ）がデジタルデータ信号Ｄ'（ｉ＋２）であり、アナログデータ信号Ｔ（ｉ）がアナログデータ信号Ａ（ｉ＋２）と等しい場合、分散デマルチプレクサ６４２は、アナログデータ信号Ｔ（ｉ）をデータライン５２２（ｉ＋２）に出力する。この様に、アナログデータ信号Ａをデータライン５２２に正確に関連付けることができる。さらに、分散マルチプレクサ６４０の全てを同期させる。すなわち、分散マルチプレクサ６４０（ｉ）が、デジタルデータ信号Ｄ'（ｉ＋２）を選択し、それを分散データ信号Ｄ"（ｉ）として出力した場合、分散マルチプレクサ６４０（ｉ−１）は、デジタルデータ信号Ｄ'（ｉ＋１）を分散データ信号Ｄ"（ｉ−１）として選択する。
【００１７】
一つのデジタルデータＤ′(i+1)に注目すると、このデジタルデータＤ′(i+1)は、３つの分散マルチプレクサ６４０(i-1)，６４０(i)，６４０(i+1)に共通に与えられており、この３つの分散マルチプレクサ６４０(i-1)，６４０(i)，６４０(i+1)は、そのデジタルデータＤ′(i+1)をそれぞれ選択的に出力する選択回路を形成している。デジタルデータＤ′(i+1)は、この３つの分散マルチプレクサ６４０(i-1)，６４０(i)，６４０(i+1)のうちの一つから出力される。
また、３つの分散マルチプレクサ６４０(i-1)，６４０(i)，６４０(i+1)には、それぞれ、デジタル／アナログ変換素子６０６(i-1)および出力バッファ６１０(i-1)を含むデジタル／アナログ変換回路、デジタル／アナログ変換素子６０６(i)および出力バッファ６１０(i)を含むデジタル／アナログ変換回路、ならびにデジタル／アナログ変換素子６０６(i+1)および出力バッファ６１０(i+1)を含むデジタル／アナログ変換回路が接続されており、これらのデジタル／アナログ変換回路は、それぞれ、分散マルチプレクサ６４０(i-1)，６４０(i)，６４０(i+1)が出力するデジタルデータである分散データ信号Ｄ″(i-1)，Ｄ″(i)，Ｄ″(i+1)に対してデジタル／アナログ変換を行う。
さらに、前記３つのデジタル／アナログ変換回路には、それぞれ、分散デマルチプレクサ６４２(i-1)，６４２(i)，６４２(i+1)が接続されており、これらは、前記デジタル／アナログ変換回路が出力するアナログデータ信号Ｔ(i-1)，Ｔ(i)，Ｔ(i+1)を、３個の出力端子のうちの１つから出力する選択回路を形成している。
分散マルチプレクサ６４０および分散デマルチプレクサ６４２の動作によって、Ｄ／Ａ変換装置６００の出力バッファの各出力は、３つのデータラインに分散されることになる。したがって、出力バッファの中に出力オフセット電圧を有するものがあっても、出力オフセット電圧による望ましくないポイントは、３本のデータライン内で分散される。分散された望ましくないポイントは、ディスプレイ上に薄い中間調ラインを形成することはなく、殆ど知覚不可能となるので、表示品質が向上する。
【００１８】
本発明によると、出力バッファ６１０とデータライン５２２の対応関係を変更するために分散法を用いる。出力バッファ６１０からの出力オフセット電圧による異常に濃い色あるいは薄い色を有する望ましくないポイントは、分散法に従って分散され、望ましくないポイントは殆ど知覚不可能となる。したがって、表示輝度の均一性低下を効果的に抑制できる。分散法は、例えば、空間分散、時間分散、時間／空間分散とすることができる。
【００１９】
空間分散は、各水平ラインについての出力バッファ６１０とデータライン５２２との対応関係を変更するために使用される。図７Ａを参照して、これは、分散法を用いずに表示したフレームを示す。図７Ａにおいて、各四角形は、１つのピクセルユニットを表し、四角形内の数字は、中間調電圧をピクセルユニットに与える対応する出力バッファを示す。ピクセルユニットが陰影付きの四角形として描かれているとすると、そのピクセルユニットに関する陰影付き四角形内の数字に対応する出力バッファが、出力オフセット電圧を有することになる。図７Ａから分かるように、出力バッファｊが出力オフセット電圧を有し、データライン５２２（ｊ）によって薄い中間調ラインが生成される。図７Ｂを参照して、これは、空間分散を用いて表示されたフレームを示し、出力バッファ６１０（ｊ）が出力オフセット電圧を有する。さらに、分散マルチプレクサ６４０（ｊ）は、Ｄ'（ｊ）、Ｄ'（ｊ＋１）、Ｄ'（ｊ＋２）、Ｄ'（ｊ＋１）、Ｄ'（ｊ）、Ｄ'（ｊ＋１）・・・の順序でデジタルデータ信号Ｄ'を順次選択する。分散データ変換装置がＨＳＹＮＣ信号を受信すると、出力バッファ６１０とデータライン５２２との対応関係が変更される。すなわち、フレームの同じライン上に当初生成されていた望ましくないポイントは、同じフレームの異なるデータラインに分散されて知覚困難となる。
【００２０】
時間分散は、各フレームについての出力バッファ６１０とデータライン５２２との対応関係を変更するために使用される。図８Ａ〜図８Ｄを参照して、これらは、時間分散を用いて表示された一連のフレームを示し、出力バッファ６１０（ｊ）が出力オフセット電圧を有する。さらに、分散マルチプレクサ６４０（ｊ）は、Ｄ'（ｊ）、Ｄ'（ｊ＋１）、Ｄ'（ｊ＋２）、Ｄ'（ｊ＋１）、Ｄ'（ｊ）、Ｄ'（ｊ＋１）・・・の順序でデジタルデータ信号Ｄ'を順次選択する。図８Ａは、第１のフレームを示し、薄い中間調の色を有する１本の垂直ラインが、データライン５２２（ｊ）に関連して生成されている。図８Ｂは、第２のフレームを示し、薄い中間調の色を有する１本の垂直ラインが、データライン５２２（ｊ−１）に関連して生成されている。図８Ｃは、第３のフレームを示し、薄い中間調の色を有する１本の垂直ラインが、データライン５２２（ｊ−２）に関連して生成されている。図８Ｄは、第４のフレームを示し、薄い中間調の色を有する１本の垂直ラインが、データライン５２２（ｊ−１）に関連して生成されている。簡単に言えば、出力バッファ６１０（ｊ）は、連続フレームのそれぞれについて、異なるデータラインに関連付けられる。この様にして、出力オフセット電圧による薄い中間調ラインは、分散されて知覚困難となる。
【００２１】
時間／空間分散は、各水平ラインに関わる各フレームについての出力バッファ６１０とデータライン５２２との対応関係を変更するために使用される。すなわち、１つのフレームの同じデータラインに当初関連していた望ましくないポイントを、異なるフレームと異なるデータラインに分散することができる。この様にして、出力バッファ６１０の出力オフセット電圧により生じた望ましくないポイントは、均等に分散されて殆ど知覚不可能となる。
【００２２】
分散マルチプレクサ６４０（ｊ）は、所定の順序またはランダムな順序、重み付け曲線に従って、デジタルデータ信号Ｄ'（ｊ）、Ｄ'（ｊ＋１）、Ｄ'（ｊ＋２）のうちの１つを選択するように構成することができる。重み付け曲線の場合は、分散マルチプレクサ６４０（ｊ）に出力されたデジタルデータ信号Ｄ'は、それぞれ、異なる加重値と関連付けられる。この様にして、分散マルチプレクサ６４０（ｊ）は、関連する加重値に従って、デジタルデータ信号Ｄ'（ｊ）、Ｄ'（ｊ＋１）、Ｄ'（ｊ＋２）のうちの１つを選択し、出力バッファ６１０とデータライン５２２との対応関係を変更する。分散マルチプレクサ６４０（ｊ）が、重み付け曲線に従って、出力バッファ６１０とデータライン５２２との対応関係を変更すると、知覚される表示は、重み付け曲線を薄い中間調強度に組み込んだ結果と同等になる。例えば、図８Ａ〜図８Ｄにおいて、デジタルデータ信号Ｄ'（ｊ）、Ｄ'（ｊ＋１）、Ｄ'（ｊ＋２）は、それぞれ加重値１／４、２／４、１／４に関連付けられる。図９Ａ〜図９Ｄを参照して、これらは、それぞれ図８Ａ〜図８Ｄに示すフレームの中間調強度のグラフを示す。図１０は、図８Ａ〜図８Ｄに示す同等のフレームについての、人間により知覚される中間調強度のグラフである。同様に、このグラフは、重み付け曲線を薄い中間調ラインの中間調強度に組み込んだ結果を示す。この様に、望ましくないポイントは分散されて、人間により知覚される中間調強度が低下する。さらに、図１０から分かるように、中央のラインが両側のラインよりも高強度を有するように、中間調強度が分配される。全体として、画像はなめらかに見え、望ましくないポイントは知覚困難となる。この様に、表示品質が向上する。
【００２３】
図１１を参照して、これは、図５のデータ信号分散変換装置５２８の別の例のブロック図を示す。図１１において、データ信号分散変換装置は、異なる極性を有するアナログデータ信号を出力することができる。データ信号分散変換装置５２８は、デジタル／アナログ（Ｄ／Ａ）変換装置１１００と、（ｍ＋３）個の分散マルチプレクサ１１４０と、（ｍ＋３）個の分散デマルチプレクサ１１４２とを備えている。この実施形態においては、分散マルチプレクサ１１４０は、３対１ラインマルチプレクサであり、すなわち、それぞれが、３個の入力端子と１個の出力端子とを有する。さらに、分散デマルチプレクサ１１４２は、１対３ラインデマルチプレクサであり、すなわち、それぞれが、１個の入力端子と３個の出力端子とを有する。実際、本発明によれば、少なくとも２対１ラインマルチプレクサと１対２ラインデマルチプレクサが、それぞれ、分散マルチプレクサと分散デマルチプレクサとして機能する。分散マルチプレクサ１１４０（ｉ）は、デジタルデータ信号Ｄ'（ｉ）、Ｄ'（ｉ＋２）、Ｄ'（ｉ＋４）を受信して、後述の分散法に従って、デジタルデータ信号Ｄ'（ｉ）、Ｄ'（ｉ＋２）、Ｄ'（ｉ＋４）のうちの１つを分散データ信号Ｄ"（ｉ）として選択するために使用される。デジタル／アナログ変換装置１１００は、分散マルチプレクサ１１４０に接続され、分散データ信号Ｄ"を受信して分散データ信号Ｄ"のデジタル／アナログ変換を行い、アナログデータ信号Ｔを出力するために使用される。分散デマルチプレクサ１１４２（ｉ）は、Ｄ／Ａ変換装置１１００に接続され、アナログデータ信号Ｔ（ｉ）を受信して、分散マルチプレクサ１１４０に応じてデータライン５２２（ｉ）、５２２（ｉ＋２）、５２２（ｉ＋４）の１つにアナログデータ信号Ｔ（ｉ）を出力するために使用される。例えば、分散マルチプレクサ１１４０からの分散データ信号Ｄ"（ｉ）がデジタルデータ信号Ｄ'（ｉ＋２）である場合、アナログデータ信号Ｔ（ｉ）は、アナログデータ信号Ａ（ｉ＋２）と等しく、分散デマルチプレクサ１１４２は、アナログデータ信号Ｔ（ｉ）をデータライン５２２（ｉ＋２）に出力する。この様に、アナログデータ信号Ａをデータライン５２２に正確に関連付けることができる。さらに、分散マルチプレクサ１１４０の全てを同期させる。すなわち、分散マルチプレクサ１１４０（ｉ）が、デジタルデータ信号Ｄ'（ｉ＋２）を選択し、それを分散データ信号Ｄ"（ｉ）として出力した場合、分散マルチプレクサ１１４０（ｉ−１）は、デジタルデータ信号Ｄ'（ｉ＋１）を分散データ信号Ｄ"（ｉ−１）として選択する。
【００２４】
デジタル／アナログ変換装置１１００は、デマルチプレクサ１１０２と、マルチプレクサ１１０４と、Ｄ／Ａ変換素子１１０６と、出力バッファ１１１０とを備えている。デマルチプレクサ１１０２（ｉ）は、分散マルチプレクサ１１４０（ｉ）およびＤ／Ａ変換素子１１０６（ｉ）、１１０６（ｉ＋１）に接続され、分散データ信号Ｄ"（ｉ）を受信するために使用される。さらに、ドット反転または列反転の何れかに従って、デマルチプレクサ１１０２（ｉ）は、受信した分散データ信号Ｄ"（ｉ）をＤ／Ａ変換素子１１０６（ｉ）またはＤ／Ａ変換素子１１０６（ｉ＋１）に出力する。さらに、デマルチプレクサ１１０２（ｉ）の全てが同期される。すなわち、デマルチプレクサ１１０２（ｉ）が、分散データ信号Ｄ"（ｉ）をＤ／Ａ変換素子１１０６（ｉ＋１）に出力した場合、デマルチプレクサ１１０２（ｉ−１）は、分散データ信号Ｄ"（ｉ＋１）をＤ／Ａ変換素子１１０６（ｉ）に出力する。デジタル／アナログ変換素子１１０６（ｉ）は、デマルチプレクサ１１０２（ｉ）、１１０２（ｉ−１）に接続され、Ｄ"（ｉ−１）またはＤ"（ｉ）を受信して変換データ信号Ｓ（ｉ）を出力するために使用される。さらに、ｉが奇数である場合、Ｄ／Ａ変換素子１１０６（ｉ）は、正の極性を有する変換データ信号Ｓ（ｉ）を出力し、ｉが偶数である場合、Ｄ／Ａ変換素子１１０６（ｉ）は、負の極性を有する変換データ信号Ｓ（ｉ）を出力する。出力バッファ１１１０（ｉ）は、Ｄ／Ａ変換素子１１０６（ｉ）と接続され、変換データ信号Ｓ（ｉ）を受信して、変換データ信号Ｓ（ｉ）に応じてバッファデータ信号Ｓ'（ｉ）を出力し、バッファデータ信号Ｓ'（ｉ）をマルチプレクサ１１０４（ｉ）、１１０４（ｉ−１）に供給するために使用される。マルチプレクサ１１０４（ｉ）は、出力バッファ１１１０（ｉ）、１１１０（ｉ＋１）に接続され、バッファデータ信号Ｓ'（ｉ）、Ｓ'（ｉ＋１）を受信して、デマルチプレクサ１１０２（ｉ）に応じてアナログデータ信号Ｔ（ｉ）を出力するために使用される（ただし、アナログデータ信号Ｔ（ｉ）は、Ｓ'（ｉ）またはＳ'（ｉ＋１）である）。例えば、デマルチプレクサ１１０２（ｉ）が、分散データ信号Ｄ"（ｉ）をＤ／Ａ変換素子１１０６（ｉ＋１）に出力した場合、マルチプレクサ１１０４（ｉ）は、バッファデータ信号Ｓ'（ｉ＋１）をアナログデータ信号Ｔ（ｉ）として出力する。
【００２５】
図１１に示された構成は、入力データを受け付ける第１選択回路としてのデマルチプレクサ１１０２(i)と、出力信号を出力する第２選択回路としてのマルチプレクサ１１０４(i)と、これらの間に接続された第１デジタル／アナログ変換回路（Ｄ／Ａ変換素子１１０６(i)および出力バッファ１１１０(i)からなるもの）および第２デジタル／アナログ変換回路（Ｄ／Ａ変換素子１１０６(i+1)および出力バッファ１１１０(i+1)からなるもの）と、デジタルデータ信号Ｄ′(i)，Ｄ′(i+2)，Ｄ′(i+4)が与えられ、これらのいずれかを前記入力データとして出力する分散マルチプレクサ１１４０(i)とを含むものとして理解される。そして、前記入力データは、前記第１または第２デジタル／アナログ変換回路によって選択的にデジタル／アナログ変換され、前記出力信号は、前記第１または第２デジタル／アナログ変換回路によって生成されることになる。
分散マルチプレクサ１１４０、デマルチプレクサ１１０２、分散デマルチプレクサ１１４２、マルチプレクサ１１０４の動作により、出力バッファ１１１０（ｉ）の出力は、６本のデータライン５２２（ｉ−１）〜５２２（ｉ＋４）に分散される。したがって、出力バッファ１１１０（ｉ）が出力オフセット電圧を有する場合、出力オフセット電圧による望ましくないポイントは、６本のデータライン内に分散される。分散された望ましくないポイントは、ディスプレイ上に薄い中間調ラインを生成不可能であり、人間にとっては殆ど知覚不可能であるので、表示品質が向上する。
【００２６】
本発明によれば、出力バッファ１１１０とデータライン５２２との対応関係を変更するために分散法を使用する。この様にして、出力バッファ１１１０からの出力オフセット電圧による異常に濃い色または薄い色を有する望ましくないポイントが分散され、望ましくないポイントが殆ど知覚不可能になる。したがって、表示輝度の均一性低下を効果的に抑制できる。空間分散、時間分散、時間／空間分散を含む分散法を以下に説明する。
【００２７】
空間分散は、各水平ラインについて出力バッファ１１１０とデータライン５２２との対応関係を変更するために使用される。図１２Ａを参照して、これは、分散法を使用せずに表示されたフレームを示し、列反転などの極性反転が利用される。図１２Ａにおいて、各四角形は、１つのピクセルユニットを表し、四角形内の数字は、対応ピクセルユニットに中間調を出力する対応出力バッファを示す。さらに、四角形内の数字の前の符号は、数字に関連する出力バッファからの出力信号の極性を示す。ピクセルユニットが陰影付きの四角形として描かれているとすると、その四角形内の数字に対応する出力バッファが、出力オフセット電圧を有する。図１２Ａから分かるように、出力バッファ１１１０（ｊ）が出力オフセット電圧を有し、データライン５２２（ｊ）によって薄い中間調ラインが生成される。図１２Ｂを参照して、これは、空間分散を用いて表示されたフレームを示し、出力バッファ１１１０（ｊ）が出力オフセット電圧を有する。分散マルチプレクサ１１４０（ｊ）は、Ｄ'（ｊ）、Ｄ'（ｊ＋４）、Ｄ'（ｊ＋２）、Ｄ'（ｊ）、Ｄ'（ｊ＋４）、Ｄ'（ｊ＋２）・・・の順序でデジタルデータ信号Ｄ'を順次選択する。分散データ変換装置がＨＳＹＮＣ信号を受信すると、出力バッファ１１１０とデータライン５２２との対応関係が変更される。すなわち、フレームの同じライン上に当初生成されていた望ましくないポイントは、同じフレームの異なるデータラインに分散され、知覚困難となる。
【００２８】
時間分散は、各フレームについての出力バッファ１１１０とデータライン５２２との対応関係を変更するために使用される。図１３Ａ〜図１３Ｅは、時間分散を用いて表示された一連のフレームを示し、列反転を用いて極性反転を行い、出力バッファ１１１０（ｊ）が出力オフセット電圧を有する。さらに、分散マルチプレクサ１１４０（ｊ）は、Ｄ'（ｊ）、Ｄ'（ｊ＋２）、Ｄ'（ｊ＋４）、Ｄ'（ｊ＋２）、Ｄ'（ｊ）、Ｄ'（ｊ＋２）・・・の順序でデジタルデータ信号Ｄ'を順次選択する。図１３Ａは、第１のフレームを示し、薄い中間調の色を有する１本の垂直ラインが、データライン５２２（ｊ−１）に関連して生成されている。図１３Ｂは、第２のフレームを示し、薄い中間調の色を有する１本の垂直ラインが、データライン５２２（ｊ−２）に関連して生成されている。図１３Ｃは、第３のフレームを示し、薄い中間調の色を有する１本の垂直ラインが、データライン５２２（ｊ−５）に関連して生成されている。図１３Ｄは、第４のフレームを示し、薄い中間調の色を有する１本の垂直ラインが、データライン５２２（ｊ−２）に関連して生成されている。図１３Ｅは、図１３Ａと同等である。簡単に言えば、出力バッファ１１１０（ｊ）は、連続フレームのそれぞれについて異なるデータラインに関連付けられる。この様にして、出力オフセット電圧による薄い中間調ラインは、分散されて殆ど知覚不可能となる。
【００２９】
時間／空間分散は、各水平ラインに関わる各フレームについての出力バッファ１１１０とデータライン５２２との対応関係を変更するために使用される。すなわち、１つのフレームの同じデータラインに当初関連していた望ましくないポイントを、異なるフレームと異なるデータラインに分散することができる。この様にして、出力バッファ１１１０の出力オフセット電圧により生じた望ましくないポイントは、均等に分散され、さらに知覚困難となる。
【００３０】
分散マルチプレクサ１１４０（ｊ）は、所定の順序またはランダムな順序、重み付け曲線に従って、デジタルデータ信号Ｄ'（ｊ）、Ｄ'（ｊ＋２）、Ｄ'（ｊ＋４）のうちの１つを選択するように構成することができる。重み付け曲線の場合は、分散マルチプレクサ１１４０（ｊ）に出力されたデジタルデータ信号Ｄ'は、それぞれ、異なる加重値と関連付けられる。この様にして、分散マルチプレクサ１１４０（ｊ）は、関連する加重値に従って、デジタルデータ信号Ｄ'（ｊ）、Ｄ'（ｊ＋２）、Ｄ'（ｊ＋４）のうちの１つを選択し、出力バッファ１１１０とデータライン５２２との対応関係を変更する。分散マルチプレクサ１１４０（ｊ）が、重み付け曲線に従って、出力バッファ１１１０とデータライン５２２との対応関係を変更すると、知覚される表示は、重み付け曲線を薄い中間調強度に統合した結果として得られた表示と同等になる。例えば、図１３Ａ〜図１３Ｅでは、デジタルデータ信号Ｄ'（ｊ）、Ｄ'（ｊ＋２）、Ｄ'（ｊ＋４）は、それぞれ加重値０．２５、０．５、０．２５に関連付けられる。図１４Ａ〜図１４Ｄは、それぞれ図１３Ａ〜図１３Ｄに示すフレームの中間調強度のグラフを示す。さらに、図１５は、図１３Ａ〜図１３Ｄに順次示すフレームについての、人間により知覚される中間調強度のグラフである。同様に、このグラフは、重み付け曲線を薄い中間調ラインの中間調強度に統合した結果を示す。この様に、望ましくないポイントは分散されて、人間により知覚される中間調強度が低下する。さらに、図１５から分かるように、中央のラインよりも両側のラインの方が低強度を有するように、中間調強度が分配される。全体として、表示はなめらかに見え、望ましくないポイントは知覚困難となる。この様に、表示品質が向上する。
【００３１】
上記のように、本発明に係るデータ信号分散変換装置は、Ｄ／Ａ変換装置の出力バッファとデータラインとの対応関係を変更することによって、Ｄ／Ａ変換装置の出力バッファからの出力オフセット電圧による異常に濃い色あるいは薄い色を有する望ましくないポイントを分散し、望ましくないポイントは容易に知覚されなくなる。したがって、表示輝度の均一性低下が効果的に抑制され、表示品質が向上する。
【００３２】
以上、例示として好適な実施形態により本発明について説明してきたが、本発明は、開示された実施形態に限定されないと理解すべきである。しかし、様々な変更、同様の構成、手順も対象とすることを意図しており、したがって、特許請求の範囲は、この様な変更、同様の構成、手順も含まれるように最も広範に解釈すべきである。
【図面の簡単な説明】
【図１】従来技術における、ＴＦＴ−ＬＣＤを示すブロック図である。
【図２】図１に示すデータ信号変換装置を示すブロック図である。
【図３Ａ】従来技術における、ＬＣＤにより表示されたフレームを示す。
【図３Ｂ】図３Ａに示すフレームの中間調強度ｖｓデータラインのグラフである。
【図４Ａ】従来技術における、ＬＣＤにより表示された別のフレームを示す。
【図４Ｂ】図４Ａに示すフレームの中間調強度のグラフである。
【図５】本発明の好適な実施形態に係る信号分散変換方式の表示装置を示すブロック図である。
【図６】図５のデータ信号分散変換装置を示すブロック図である。
【図７Ａ】従来技術における、中間調ラインを有する表示フレームを示す図解図である。
【図７Ｂ】本発明の好適な実施形態に係る空間分散法を用いて表示されたフレームを示す図解図である。
【図８Ａ】時間分散法を適用して表示された連続フレームを示す図解図である。
【図８Ｂ】時間分散法を適用して表示された連続フレームを示す図解図である。
【図８Ｃ】時間分散法を適用して表示された連続フレームを示す図解図である。
【図８Ｄ】時間分散法を適用して表示された連続フレームを示す図解図である。
【図９Ａ】図８Ａに示すフレームについての中間調強度を示すグラフである。
【図９Ｂ】図８Ｂに示すフレームについての中間調強度を示すグラフである。
【図９Ｃ】図８Ｃに示すフレームについての中間調強度を示すグラフである。
【図９Ｄ】図８Ｄに示すフレームについての中間調強度を示すグラフである。
【図１０】図８Ａ〜図８Ｄに示すフレームについての、人間に知覚される中間調強度を示すグラフである。
【図１１】図５のデータ信号分散変換装置５２８の別の例を示すブロック図である。
【図１２Ａ】従来技術における、中間調ラインを有する表示フレームを示す図解図である。
【図１２Ｂ】本発明の好適な実施形態に係る空間分散法を適用して表示されたフレームを示す図解図である。
【図１３Ａ】時間分散法を適用して表示された連続フレームを示す図解図である。
【図１３Ｂ】時間分散法を適用して表示された連続フレームを示す図解図である。
【図１３Ｃ】時間分散法を適用して表示された連続フレームを示す図解図である。
【図１３Ｄ】時間分散法を適用して表示された連続フレームを示す図解図である。
【図１３Ｅ】時間分散法を適用して表示された連続フレームを示す図解図である。
【図１４Ａ】図１３Ａに示すフレームについての中間調強度のグラフである。
【図１４Ｂ】図１３Ｂに示すフレームについての中間調強度のグラフである。
【図１４Ｃ】図１３Ｃに示すフレームについての中間調強度のグラフである。
【図１４Ｄ】図１３Ｄに示すフレームについての中間調強度のグラフである。
【図１５】図１３Ａ〜図１３Ｄに示すフレームについての、人間により知覚される中間調強度のグラフである。
【図１】
0003962947.tif 000002
【図２】
0003962947.tif 000003
【図３Ａ】
0003962947.tif 000004
【図３Ｂ】
0003962947.tif 000005
【図４Ａ】
0003962947.tif 000006
【図４Ｂ】
0003962947.tif 000007
【図５】
0003962947.tif 000008
【図６】
0003962947.tif 000009
【図７Ａ】
0003962947.tif 000010
【図７Ｂ】
0003962947.tif 000011
【図８Ａ】
0003962947.tif 000012
【図８Ｂ】
0003962947.tif 000013
【図８Ｃ】
0003962947.tif 000014
【図８Ｄ】
0003962947.tif 000015
【図９Ａ】
0003962947.tif 000016
【図９Ｂ】
0003962947.tif 000017
【図９Ｃ】
0003962947.tif 000018
【図９Ｄ】
0003962947.tif 000019
【図１０】
0003962947.tif 000020
【図１１】
0003962947.tif 000021
【図１２Ａ】
0003962947.tif 000022
【図１２Ｂ】
0003962947.tif 000023
【図１３Ａ】
0003962947.tif 000024
【図１３Ｂ】
0003962947.tif 000025
【図１３Ｃ】
0003962947.tif 000026
【図１３Ｄ】
0003962947.tif 000027
【図１３Ｅ】
0003962947.tif 000028
【図１４Ａ】
0003962947.tif 000029
【図１４Ｂ】
0003962947.tif 000030
【図１４Ｃ】
0003962947.tif 000031
【図１４Ｄ】
0003962947.tif 000032
【図１５】
0003962947.tif 000033